(57)【要約】【課題】ＣＲＴ内部の異常放電により高電圧がフォーカス電圧出力端子に印加されても、ダイナミックフォーカス用コンデンサが破壊されるおそれのない高圧可変抵抗器を提供する。【解決手段】本発明の高圧可変抵抗器は、ダイナミックフォーカス電圧から直流成分を除去するコンデンサ６ａ−ｃを具えており、直流成分が除去されたダイナミックフォーカス電圧を、フライバックトランスから供給された電圧を分圧して得られるフォーカス電圧に重畳して出力し、前記コンデンサ６ａ−ｃと直列に接続された固定抵抗器８，８ａ−ｃを具える。さらに、フライバックトランスから供給された電圧は、複数のフォーカス電圧に分圧され、これらフォーカス電圧には、それぞれ異なるコンデンサ６ａ−ｃを介してダイナミックフォーカス電圧が重畳され、前記固定抵抗器８は、これらコンデンサ６ａ−ｃとダイナミックフォーカス電圧入力端子７の間に、全てのコンデンサ６ａ−ｃと直列に接続されている。【選択図】　　図１
2004014727.tif 000002
【特許請求の範囲】
【請求項１】
入力されたダイナミックフォーカス電圧から直流成分を除去するダイナミックフォーカス用コンデンサ（６ａ−ｃ）を具えており、直流成分が除去されたダイナミックフォーカス電圧を、フライバックトランスから供給された電圧を分圧して得られるフォーカス電圧に重畳して出力する高圧可変抵抗器において、
前記ダイナミックフォーカス用コンデンサ（６ａ−ｃ）と直列に接続された固定抵抗器（８）（８ａ−ｃ）を具えることを特徴とする高圧可変抵抗器。
【請求項２】
フライバックトランスから供給された電圧は複数のフォーカス電圧に分圧され、これらフォーカス電圧には、それぞれ異なるダイナミックフォーカス用コンデンサ（６ａ−ｃ）を介してダイナミックフォーカス電圧が重畳され、前記固定抵抗器（８）は、これらダイナミックフォーカス用コンデンサ（６ａ−ｃ）とダイナミックフォーカス電圧入力端子（７）の間に、全てのダイナミックフォーカス用コンデンサ（６ａ−ｃ）と直列に接続されている請求項１に記載の高圧可変抵抗器。
【発明の詳細な説明】
【０００１】
【発明の属する技術分野】
本発明は、テレビジョン受像機等に使用される高圧可変抵抗器に関する。
【０００２】
【従来の技術】
テレビジョン受像機等の陰極線管（以下、ＣＲＴ）を具えた装置は、フライバックトランスからの高電圧を分圧して、ＣＲＴにフォーカス電圧を供給する高圧可変抵抗器を具えている。投影型テレビジョン受像機に代表される、大きな画面を具えるテレビジョン受像機では、ＣＲＴ中心から距離が離れるにつれて画像のピントがずれて鮮明な画像が得られない問題があり、この画像のピントずれを補正するために、フォーカス電圧にパルス状のダイナミックフォーカス電圧を重畳してＣＲＴに供給することが行われている。そのために、このようなテレビジョン受像機に用いられる高圧可変抵抗器は、入力されたダイナミックフォーカス電圧の直流成分を除去するダイナミックフォーカス用コンデンサを具えており、該ダイナミックフォーカス用コンデンサはフォーカス電圧を出力するボリュームと並列に接続されている。
【０００３】
【発明が解決しようとする課題】
従来の高圧可変抵抗器では、ＣＲＴ内部で異常放電が発生した際に、フォーカス電圧を出力する端子に、瞬間的に３０ｋＶ程度の高電圧が印加されることがある。この場合、ダイナミックフォーカス用コンデンサにも同程度の高電圧が印加される。ダイナミックフォーカス用コンデンサの耐電圧は、通常１５ｋＶ程度であるので、ＣＲＴでの異常放電に起因してダイナミックフォーカス用コンデンサが、さらには、ダイナミックフォーカス電圧を高圧可変抵抗器に供給するためのダイナミックフォーカス回路が破壊されるおそれがある。
【０００４】
本発明は、上記の問題を解決するためのものであり、ＣＲＴ内部の異常放電により高電圧がフォーカス電圧出力端子に印加されても、ダイナミックフォーカス用コンデンサが破壊されるおそれのない高圧可変抵抗器を提供する。
【０００５】
【課題を解決する為の手段】
本発明の高圧可変抵抗器は、入力されたダイナミックフォーカス電圧から直流成分を除去するダイナミックフォーカス用コンデンサを具えており、直流成分が除去されたダイナミックフォーカス電圧を、フライバックトランスから供給された電圧を分圧して得られるフォーカス電圧に重畳して出力する高圧可変抵抗器において、前記ダイナミックフォーカス用コンデンサと直列に接続された固定抵抗器を具えることを特徴とする。
さらに、本発明の高圧可変抵抗器は、フライバックトランスから供給された電圧は複数のフォーカス電圧に分圧され、これらフォーカス電圧には、それぞれ異なるダイナミックフォーカス用コンデンサを介してダイナミックフォーカス電圧が重畳され、前記固定抵抗器は、これらダイナミックフォーカス用コンデンサとダイナミックフォーカス電圧入力端子の間に、全てのダイナミックフォーカス用コンデンサと直列に接続されている。
【０００６】
【作用及び効果】
固定抵抗器は、ダイナミックフォーカス用コンデンサと直列に接続されているので、ＣＲＴ内部の異常放電によって高電圧がフォーカス電圧出力端子に印加された場合、固定抵抗器にも電圧が加わる。よって、固定抵抗器の抵抗値を適切に選択することにより、ダイナミックフォーカス用コンデンサに耐電圧以上の電圧が加わることが防止できる。よって、ＣＲＴ内部の異常放電によって、ダイナミックフォーカス用コンデンサが破壊されることはなく、さらには、ダイナミックフォーカス回路をＣＲＴ内部の異常放電から保護することができる。
また、高圧可変抵抗器が複数のフォーカス電圧を出力し、これらフォーカス電圧には、それぞれ異なるダイナミックフォーカス用コンデンサを介してダイナミックフォーカス電圧が重畳される場合に、共通の固定抵抗器を、これらダイナミックフォーカス用コンデンとダイナミックフォーカス電圧入力端子の間に接続すれば、接続される固定抵抗器の数を少なくできる。
【０００７】
【発明の実施の形態】
以下、投影型テレビジョン受像機に使用される高圧可変抵抗器に本発明を適用した実施例について説明する。図１は、本発明に係る高圧可変抵抗器の回路図である。高圧可変抵抗器の入力端子（１）には、フライバックトランス（図示せず）により高電圧が印加される。入力端子（１）には、電圧降下用の固定抵抗器（２）が接続されており、投影型テレビジョン受像機は、赤色用、緑色用、青色用の計３つのＣＲＴ（図示せず）を具えており、固定抵抗器（２）には、これらＣＲＴのそれぞれにフォーカス電圧を供給するために、３つのフォーカス電圧調整用ボリューム（３ａ−ｃ）が並列に接続されている。これらボリューム（３ａ−ｃ）の可変電圧出力端子は、固定抵抗器（４ａ−ｃ）を介してそれぞれ異なるフォーカス電圧出力端子（５ａ−ｃ）と接続されている。固定抵抗器（５ａ−ｃ）とフォーカス電圧出力端子（５ａ−ｃ）との間には、それぞれダイナミックフォーカス用コンデンサ（６ａ−ｃ）が並列に接続されている。さらに、これらダイナミックフォーカス用コンデンサ（６ａ−ｃ）は、共通のダイナミックフォーカス電圧入力端子（７）と接続されている。該ダイナミックフォーカス電圧入力端子（７）には、ダイナミックフォーカス回路（図示せず）から、パルス波形のダイナミックフォーカス電圧が供給される。ダイナミックフォーカス用コンデンサ（６ａ−ｃ）により、ダイナミックフォーカス電圧の交流成分のみが各フォーカス電圧に重畳される。ダイナミックフォーカス用コンデンサ（６ａ−ｃ）は、数百ｐＦ程度の静電容量を有する。
【０００８】
高圧可変抵抗器は、ダイナミックフォーカス電圧入力端子（７）とダイナミックフォーカス用コンデンサ（６ａ−ｃ）との間に、全てのダイナミックフォーカス用コンデンサ（６ａ−ｃ）と直列に接続された固定抵抗器（８）を具えている。固定抵抗器（８）の抵抗値は数十ｋΩ程度である。この固定抵抗器（８）が存在することにより、ＣＲＴの異常放電によって、あるフォーカス電圧出力端子（５ａ−ｃ）に高電圧が印加された場合に、該フォーカス電圧出力端子（５ａ−ｃ）と接続しているダイナミックフォーカス用コンデンサ（６ａ−ｃ）に、耐電圧以上の電圧が加わることが防止される。
【０００９】
本実施例の高圧可変抵抗器は、フォーカス電圧に加えてスクリーン電圧もＣＲＴに供給するものであり、降圧用の固定抵抗器（９）を介して、上記フォーカス電圧調整用ボリューム（３ａ−ｃ）の並列回路と直列に、３つのスクリーン電圧調整用ボリューム（１０ａ−ｃ）からなる並列回路が接続されている。これらスクリーン電圧調整用ボリューム（１０ａ−ｃ）は、それぞれ、赤色用、緑色用、青色用のＣＲＴにスクリーン電圧を供給するためのものであり、これらスクリーン電圧調整用ボリューム（１０ａ−ｃ）の可変電圧出力端子は、それぞれ異なるスクリーン電圧出力端子（１１ａ−ｃ）と接続されている。また、これらスクリーン電圧調整用ボリューム（１０ａ−ｃ）は、降圧用の固定抵抗器（１２）を介して接地用端子（１３）と接続される。
【００１０】
図２は、本発明に係る高圧可変抵抗器の正面図である。図３は、本発明に係る高圧可変抵抗器の背面図である。図４は、本発明に係る高圧可変抵抗器の組立て構造を示す分解斜視図である。
【００１１】
高圧可変抵抗器は、樹脂成形によって作成された絶縁ケース（２１）を具えている。該絶縁ケース（２１）の背面側は開放されている。絶縁ケース（２１）の前壁部（２２）の背面側には、上記フォーカス電圧調整用ボリューム（３ａ−ｃ）の構成要素である３つのボリュームシャフト（２３ａ−ｃ）と、スクリーン電圧調整用ボリューム（１０ａ−ｃ）の構成要素である３つのボリュームシャフト（２４ａ−ｃ）とが配置される。絶縁ケース（２１）の前壁部（２２）には、これらボリュームシャフト（２３ａ−ｃ）（２４ａ−ｃ）を挿通する貫通孔（２５）がそれぞれ形成されており、絶縁ケース（２１）の正面側に、十字状の溝が形成されたボリュームシャフト（２３ａ−ｃ）（２４ａ−ｃ）の先端部が露出する。使用者は、ドライバーの先端を該溝に挿入してボリュームシャフト（２３ａ−ｃ）（２４ａ−ｃ）を回転させることにより、３つのＣＲＴに供給するフォーカス電圧及びスクリーン電圧をそれぞれ調整することが可能である。
【００１２】
ボリュームシャフト（２３ａ−ｃ）（２４ａ−ｃ）の背面側には、アルミナ基板（２５）が配置される。アルミナ基板（２５）の正面側には、図１に示した回路を実現するための配線及び抵抗パターンが形成されている。
【００１３】
図５は、アルミナ基板（２５）に形成された配線及び抵抗パターンのうち、スクリーン電圧調整用ボリューム（３ａ−ｃ）に関係する部分を示す図である。スクリーン電圧調整用ボリューム（３ａ−ｃ）は、ボリュームシャフト（２３ａ−ｃ）と、ボリュームシャフト（２３ａ−ｃ）のアルミナ基板（２５）側の先端部端部に装着される摺動子（２６）と、アルミナ基板（２５）上に形成された抵抗膜（２７ａ−ｃ）とで構成される。図５では抵抗膜の部分を斜線の領域で示している。抵抗膜（２７ａ−ｃ）は円弧状をしており、図１に示した固定抵抗器（４ａ−ｃ）に相当する直線状の抵抗膜（２８ａ−ｃ）の一端に形成された引出し電極部が、この円弧中心に位置している。摺動子（２６）の両端部は、それぞれこの引出し電極部及び半円弧状の抵抗膜（２８ａ−ｃ）と接触している。ボリュームシャフト（２３ａ−ｃ）が回転すると、摺動子（２６）の一端は引出し電極部上に位置しつつ、摺動子（２６）の他端が半円弧状の抵抗膜（２８ａ−ｃ）上を移動する。これによって、スクリーン電圧調整用ボリューム（３ａ−ｃ）の出力電圧が変化する。固定抵抗器（４ａ−ｃ）に相当する抵抗膜（２８ａ−ｃ）の他端に形成された引出し電極部には、アルミナ基板（２５）を貫通する孔（２９ａ−ｃ）が形成されており、該孔（２９ａ−ｃ）を介して後述する金属片（３２ａ−ｃ）と引出し電極部が接続される。なお、フォーカス電圧調整用ボリューム（１０ａ−ｃ）もほぼ同様な構成を具えている。
【００１４】
アルミナ基板（２５）の背面側には、フライバックトランスからの電圧入力端子（１）を構成する金属片（３１）と、フォーカス電圧出力端子（５ａ−ｃ）を構成する金属片（３２ａ−ｃ）と、ダイナミックフォーカス電圧入力端子（７）を構成する金属片（３３）と、スクリーン電圧入力端子（１１ａ−ｃ）を構成する金属片（３４ａ−ｃ）と、接地用端子（１３）を構成する金属片（３５）とが突設されている。これら金属片は、アルミナ基板（２５）に形成された貫通孔を介して、アルミナ基板（２５）上の配線及び抵抗パターンと接続される。これら金属片の先端部には、フライバックトランスやＣＲＴ等と繋がるリード線が接続される孔（３６）が形成されている。フォーカス電圧出力端子（５ａ−ｃ）を構成する金属片（３２ａ−ｃ）は、それぞれダイナミックフォーカス用コンデンサ（６ａ−ｃ）の一端と接続されており、これらダイナミックフォーカス用コンデンサ（６ａ−ｃ）の他端は、固定抵抗器（８）の一端に接続されている。固定抵抗器（８）の他端は、ダイナミックフォーカス電圧入力端子（７）を構成する金属片（３３）に接続されている。なお、幾つかの金属片（３１）（３２ａ−ｃ）は、短絡防止用の端子カバー（３７）で覆われている。
【００１５】
図６は、図２におけるＡ−Ａ線を含む平面で高圧可変抵抗器を破断した断面図である。高圧可変抵抗器の内部は絶縁樹脂層（４１）（４２）で充填されている。該樹脂層（４１）（４２）は、アルミナ基板（２５）上に形成される薄い第１樹脂層（４１）と、第１樹脂層（４１）上に形成される第２樹脂層（４２）とから構成されている。第１樹脂層（４１）及び第２樹脂層（４２）には、共にエポキシ系の樹脂が用いられるが、第１樹脂層（４１）には、硬化後も比較的弾性のある樹脂が用いられる。なお、第１樹脂層（４１）が形成された後に、ダイナミックフォーカス用コンデンサ（６ａ−ｃ）と固定抵抗器（８）が金属片（３２ａ−ｃ）（３３）に取り付けられ、その後、第２樹脂層（４２）を形成する樹脂が注入される。
【００１６】
本実施例では、ダイナミックフォーカス電圧入力端子（７）とダイナミックフォーカス用コンデンサ（６ａ−ｃ）との間に、全てのダイナミックフォーカス用コンデンサ（６ａ−ｃ）と直列に接続された固定抵抗器（８）を具えているが、図７に示すようにダイナミックフォーカス用コンデンサ（６ａ−ｃ）のそれぞれに対して固定抵抗器（８ａ）（８ｂ）（８ｃ）設けてもよい。これら固定抵抗器（８ａ）（８ｂ）（８ｃ）は、フォーカス電圧出力端子（５ａ−ｃ）側に配置してもよい。また、本実施例は、３個のＣＲＴを具える投写型テレビジョン受信機用の高圧可変抵抗器に本発明を適用したものであるが、本発明を１個のＣＲＴを具えるテレビジョン受信機用の高圧可変抵抗器に適用してもよいことは明らかである。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本発明に係る高圧可変抵抗器の回路図である。
【図２】本発明に係る高圧可変抵抗器の正面図である
【図３】本発明に係る高圧可変抵抗器の背面図である。
【図４】本発明に係る高圧可変抵抗器の組立て構造を示す分解斜視図である。
【図５】本発明に係る高圧可変抵抗器のアルミナ基板に形成された、配線及び抵抗パターンを示す図である。
【図６】本発明に係る高圧可変抵抗器を、図２におけるＡ−Ａ線を含む平面で破断した断面図である。
【図７】本発明に係る高圧可変抵抗器の第２実施例の回路図である。
【符号の説明】
（１）　　　　　　入力端子
（３ａ−ｃ）　　　フォーカス電圧調整用ボリューム
（５ａ−ｃ）　　　フォーカス電圧出力端子
（６ａ−ｃ）　ダイナミックフォーカス用コンデンサ
（７）　　　　　　ダイナミックフォーカス電圧入力端子
（８）　　　　　　　固定抵抗器
【図１】
2004014727.tif 000003
【図２】
2004014727.tif 000004
【図３】
2004014727.tif 000005
【図４】
2004014727.tif 000006
【図５】
2004014727.tif 000007
【図６】
2004014727.tif 000008
【図７】
2004014727.tif 000009